(57)【特許請求の範囲】
【請求項１】
ボトルに巻き付けることで常温に対して低温又は高温に前記ボトルを保温可能としたボトル保温装置であって、
透水性を有した２枚の不織布の間にそれぞれ間隔を開けてシート状の吸水性シートを複数配置した柱状体保温装置と、
前記柱状体保温装置を収納する柱状体保温装置収納部材と、を備え、
前記柱状体保温装置は、前記２枚の不織布における複数の前記吸水性シートの間隔部分同士、及び前記２枚の不織布における端部同士が熱圧着されたシール部を有し、
前記柱状体保温装置収納部材の断面構造は、透水性を有したポリエステル部、アルミ蒸着膜、外装材の順に前記ボトル側である内側から外側に向かって構成され、
前記柱状体保温装置収納部材における前記ポリエステル部と前記アルミ蒸着膜との間に前記柱状体保温装置が収納されたことを特徴とするボトル保温装置。
【請求項２】
前記吸水性シートは、吸水性ポリマーからなることを特徴とする請求項１に記載のボトル保温装置。
【請求項３】
前記２枚の不織布は、台形状であることを特徴とする請求項１又は２に記載のボトル保温装置。
【請求項４】
当該ボトル保温装置をボトルに巻いたときに、当該ボトルのラベルを視認可能であることを特徴とする請求項１−３のいずれかの記載のボトル保温装置。
【請求項５】
ボトルに巻き付けることで常温に対して低温に前記ボトルを保温可能としたボトル保温方法であって、
透水性を有した２枚の不織布の間にそれぞれ間隔を開けてシート状の吸水性シートを複数配置した柱状体保温装置を水に浸して前記吸水性シートに吸水させる吸水工程と、
前記柱状体保温装置を冷蔵又は冷凍させる冷却工程と、
前記柱状体保温装置を、断面構造が透水性を有したポリエステル部、アルミ蒸着膜、外装材の順に前記ボトル側である内側から外側に向かって構成された柱状体保温装置収納部材における前記ポリエステル部と前記アルミ蒸着膜との間に収納する収納工程と、を備えたことを特徴とするボトル保温方法。
【発明の詳細な説明】
【技術分野】
【０００１】
本発明は、缶ビール、ワインや日本酒等のボトル、又は哺乳瓶に外装して、ボトルの温度を常温に対して低温又は高温に保温する柱状体保温装置、及びボトル保温装置に関するものである。
【背景技術】
【０００２】
レストラン等において、ワインをボトルで供するときに、常温より低温に保持するために氷が入ったワインクーラーに入れて保温することがよく行われている。
【０００３】
しかしながら、ワインボトルを氷が入ったワインクーラーに入れておくと、ワインボトルが水に濡れて水滴が滴り落ちることがあり、高級なレストランのイメージにそぐわない。また、水滴が滴り落ちることを防ぐために、リネン等でワインボトルを拭うことは手間がかかるとともに、スマートでない。
【０００４】
特許文献１には、吸水ポリマーを封入してかまぼこ型にしたものを波状形に整列して、冷凍した状態で瓶に巻き付けて保冷する装置が記載されている。
【先行技術文献】
【特許文献】
【０００５】
特許文献１：特開２００６−２７３４２０号公報
【発明の概要】
【発明が解決しようとする課題】
【０００６】
しかしながら、特許文献１に記載のものは、瓶が最初から冷えている場合、常温の環境に戻すとボトル表面が結露により濡れてしまうという問題がある。また、吸水ポリマーを封入した部分がかまぼこ型であるため、瓶に巻き付けた際に太くなり、片手で持ちにくいという問題がある。
【０００７】
本発明は上記問題点を解決して、柱状体又はボトルの表面が水で濡れることなく、また、片手で持ちやすいコンパクトな柱状体保温装置、及びボトル保温装置を実現することを課題とする。
【課題を解決するための手段】
【０００８】
上記課題を解決するために本発明は、ボトルに巻き付けることで常温に対して低温又は高温に前記ボトルを保温可能としたボトル保温装置であって、
透水性を有した２枚の不織布の間にそれぞれ間隔を開けてシート状の吸水性シートを複数配置した柱状体保温装置と、
前記柱状体保温装置を収納する柱状体保温装置収納部材と、を備え、
前記柱状体保温装置は、前記２枚の不織布における複数の前記吸水性シートの間隔部分同士、及び前記２枚の不織布における端部同士が熱圧着されたシール部を有し、
前記柱状体保温装置収納部材の断面構造は、透水性を有したポリエステル部、アルミ蒸着膜、外装材の順に前記ボトル側である内側から外側に向かって構成され、
前記柱状体保温装置収納部材における前記ポリエステル部と前記アルミ蒸着膜との間に前記柱状体保温装置が収納されたことを特徴とするボトル保温装置を提供するものである。
【０００９】
この構成により、冷却時にボトルに結露した水分がポリエステルを介して柱状体保温装置に吸い取らせることができ、ボトル表面が結露等の水で濡れることがない。
【００１０】
柱状体保温装置であって、前記吸水性シートは、吸水性ポリマーからなる構成としてもよい。
【００１１】
この構成により、吸水性ポリマーは多くの水を吸収でき、また、一旦吸水した水を離さない柱状体保温装置を実現できる。
【００１２】
柱状体保温装置であって、前記２枚の不織布は、台形状である構成としてもよい。
【００１３】
この構成により、台形の切り欠き部分を柱状体の前に来るように、柱状体に巻き付けることで、柱状体のラベルを視認することができる。
【００１４】
ボトル保温装置であって、当該ボトル保温装置をボトルに巻いたときに、当該ボトルのラベルを視認可能である構成としてもよい。
【００１５】
この構成により、ボトルのラベルを視認可能とすることができる。
【００１６】
また、上記課題を解決するために本発明は、ボトルに巻き付けることで常温に対して低温に前記ボトルを保温可能としたボトル保温方法であって、
透水性を有した２枚の不織布の間にそれぞれ間隔を開けてシート状の吸水性シートを複数配置した柱状体保温装置を水に浸して前記吸水性シートに吸水させる吸水工程と、
前記柱状体保温装置を冷蔵又は冷凍させる冷却工程と、
前記柱状体保温装置を、断面構造が透水性を有したポリエステル部、アルミ蒸着膜、外装材の順に前記ボトル側である内側から外側に向かって構成された柱状体保温装置収納部材における前記ポリエステル部と前記アルミ蒸着膜との間に収納する収納工程と、を備えたことを特徴とするボトル保温方法。
【００１７】
この構成により、冷却時にボトルに結露した水分がポリエステルを介して柱状体保温装置に吸い取らせることができ、ボトル表面が結露等の水で濡れることがない。
【発明の効果】
【００１８】
本発明の柱状体保温装置、及びボトル保温装置により、ボトルや柱状体の表面が水で濡れることなく、また、片手で持ちやすいコンパクトな柱状体保温装置、及びボトル保温装置を実現することができる。
【図面の簡単な説明】
【００１９】
【図１】本発明の実施例１における柱状体保温装置を説明する図。
【図２】本発明の実施例２におけるボトル保温装置を説明する図。
【図３】本発明の実施例２におけるボトル保温装置を巻いた様子を説明する図。
【図４】本発明の実施例２におけるボトル保温装置を巻き、ボトルを収納した図。
【発明を実施するための形態】
【実施例１】
【００２０】
（柱状体保温装置）
本発明における実施例１の柱状体保温装置について、図１を参照して説明する。図１は、本発明の実施例１における柱状体保温装置を説明する図である。
【００２１】
実施例１における柱状体保温装置１０は、ボトルや缶等の柱状体に巻いて、柱状体を常温に対して低温又は高温に保温するものであり、高さ方向（図１におけるｙ方向）の長さは約１６０ｍｍ、幅方向（図１におけるｘ方向）の長さは約２１０ｍｍ、厚さ方向（図１におけるｚ方向）の長さは約１ｍｍの略台形状を有している。柱状体保温装置１０は、ほぼ同形状の２枚の不織布１１ａ、１１ｂと、８枚のシート状の吸水性シート１２ａ〜１２ｈと、を備えている。吸水性部材１２ａ〜１２ｈは、２枚の不織布１１ａ、１１ｂの間にそれぞれ間隔を開けて配置され、２枚の不織布１１ａ、１１ｂにおける各吸水性シート間、及び２枚の不織布１１ａ、１１ｂにおける端部同士が熱圧着されたシール部１３（１３ａ〜１３ｈ）を有している。
【００２２】
これにより、吸水性シート１２ａ〜１２ｈが水分を含んでも不織布１１ａ、１１ｂの外部に漏れ出ることはない。また、各吸水性シート１２ａ〜１２ｈ間における２枚の不織布１１ａ、１１ｂが熱圧着されていることで、各吸水性シート１２ａ〜１２ｈ同士が接触したり乗り上げたりすることがないため、後述のように、この柱状体保温装置１０を巻いても各吸水性シート１２ａ〜１２ｈが均等に配置され、効率的に冷温又は高温に保温できる。また、吸水性シート１２ａ〜１２ｈがシート状であるため、柱状体保温装置１０を薄く構成でき、手で持つときに持ちやすくできる。
【００２３】
吸水性シート１２ａ〜１２ｈは、おむつに使われるような吸水性ポリマーからなり、自重の数百倍から１，０００倍の水を吸収し、多少の圧力をかけても吸った水を離さない高分子材料である。吸水性シート１２ａ〜１２ｈの幅方向（図１におけるｘ方向）は短く、高さ方向（図１におけるｙ方向）は長い長方形であり、それぞれ略台形状からなる不織布１１ａ、１１ｂの形状に合うように、高さ方向（図１におけるｙ方向）の長さが揃えられて配置されている。実施例１における吸水性シート１２ａ〜１２ｈの幅方向（図１におけるｘ方向）の長さは約１３ｍｍ、厚み方向（図１におけるｚ方向）の長さは約０．８ｍｍである。吸水性シート１２ａ、１２ｈにおける高さ方向（図１におけるｙ方向）の長さは約１０ｍｍ、吸水性シート１２ｂ、１２ｇにおける高さ方向（図１におけるｙ方向）の長さは約１２ｍｍ、吸水性シート１２ｃ、１２ｄ、１２ｅ、１２ｆにおける高さ方向（図１におけるｙ方向）の長さは約１４ｍｍである。
【００２４】
各吸水性シート１２ａ〜１２ｈが不織布１１ｂ上に配置した上から不織布１１ａを重ねて、不織布１１ａ、１１ｂの端部同士を熱圧着したシール部１３ａを有している。また、各吸水性シート１２ａ〜１２ｈの間における不織布１１ａ、１１ｂ同士を熱圧着したシール部１３ｂ〜１３ｈを有している。熱圧着は、公知の方法で行うことができる。
【００２５】
不織布１１ａ、１１ｂは、ポーラス（多孔質）構造であることが特長で、通気性があり、また水分を透過させることができる。このため、後述のように、吸水性シート１２ａ〜１２ｈを内蔵した柱状体保温装置１０を水に浸すと、吸水性シート１２ａ〜１２ｈは水を十分に含むことができる。そして、冷蔵庫に入れて冷やすと吸水性シート１２ａ〜１２ｈが吸水した水分が冷やされる。逆に湯等に浸けると吸水性シート１２ａ〜１２ｈが吸水した水分が暖められる。
【００２６】
なお、実施例１においては、８枚の吸水性シート１２ａ〜１２ｈを用いることとしたが、必ずしもこれに限定されず適宜変更が可能である。例えば、７枚以下でもよいし、９枚以上であってもよく、柱状体の直径等の都合により任意の枚数の吸水性シートで構成できる。
【００２７】
また、実施例１においては、不織布１１ａ、１１ｂを台形状としたが、必ずしもこれに限定されず適宜変更が可能である。例えば、長方形としてもよいし、正方形としてもよく、任意の形状を選択できる。
【００２８】
このように、実施例１においては、柱状体に巻いて、常温に対して低温又は高温に保温する柱状体保温装置であって、
２枚の不織布と、
シート状からなる複数の吸水性シートと、を備え、
複数の前記吸水性シートは、前記２枚の不織布の間にそれぞれ間隔を開けて配置され、前記２枚の不織布における該間隔部分同士、及び前記２枚の不織布における端部同士が熱圧着されたシール部を有したことを特徴とする柱状体保温装置により、柱状体表面が水で濡れることなく、また、片手で持ちやすいコンパクトな柱状体保温装置を実現することができる。
【実施例２】
【００２９】
（ボトル保温装置）
本発明の実施例２は、柱状体保温装置をボトル保温装置に内蔵した点で実施例１と異なっている。実施例２について、図２〜図４を参照して説明する。図２は、本発明の実施例２におけるボトル保温装置を説明する図で、（ａ）は正面図、（ｂ）は側面図、（ｃ）は断面図である。図３は、本発明の実施例２におけるボトル保温装置を巻いた様子を説明する図で、（ａ）は正面図、（ｂ）は底面図、（ｃ）は上面図、（ｄ）は左側面図、（ｅ）は右側面図、（ｆ）は背面図である。図４は、本発明の実施例２におけるボトル保温装置を巻き、ボトルを収納した図で、（ａ）は正面図、（ｂ）は底面図、（ｃ）は上面図、（ｄ）は左側面図、（ｅ）は右側面図、（ｆ）は背面図である。
【００３０】
実施例２におけるボトル保温装置２０は、実施例１における柱状体保温装置１０を内蔵し、ワイン等のボトルに巻き付けてボトルの保温を行なうものである。
【００３１】
ボトル保温装置２０は、中央部が山型を有し、端部にかけてなだらかに下方へ傾斜した形状を有している（図２参照）。このため、ボトル保温装置２０を巻くと、正面視で上部が切り取られたような立体形状とすることができる（図３参照）。そのため、ボトル保温装置２０をボトル３０に巻いたときに、ボトル３０のラベル３１を視認することができる（図４（ａ）参照）。
【００３２】
ボトル保温装置２０の内側（ボトルに接する側）の中央部には、縦方向（図２におけるｙ方向）に切り欠きを有して、柱状体保温装置１０を内部に挿入可能な柱状体保温装置挿入口２１が形成されている。ボトル保温装置２０の内部は、柱状体保温装置１０を収納するのに十分な広さを有している（図２参照）。
【００３３】
また、ボトル保温装置２０の内側（ボトル３０に接する側）の右端部（ｘ方向端部）には面ファスナー２２が取り付けられ、ボトル保温装置２０をボトル３０に巻いた際に対応する位置（左端部外側）に設けられた面ファスナー２３と組み合わせて固定することができる。
【００３４】
なお、実施例２においては、面ファスナー２２、２３でボトル保温装置２０の右端部と左端部を固定することとしたが、必ずしもこれに限定されず適宜変更が可能である。例えば、ゴムや紐の一方端をボトル保温装置２０の右端部に縫い付け、他方端にボタンを取付けて、ボトル保温装置２０左端部に設けたボタンに篏合させて固定してもよい。また、ボトル保温装置２０の右端部と左端部とをマネークリップのようなクリップで固定してもよい。
【００３５】
ボトル保温装置２０の内側（ボトルに接する側）はポリエステル部２４で全面が覆われ、その外側（ボトル保温装置２０の内部）に柱状体保温装置１０を収納する。また、収納された柱状体保温装置１０の外側にはアルミ蒸着膜２５が全面に設けられている。さらに、アルミ蒸着膜２５の外側には織物からなる外装材２６で覆われている（図２（ｃ）参照）。
【００３６】
ボトル保温装置２０の内側（ボトルに接する側）が、水分を通すことができるポリエステル部２４で全面が覆われていることで、冷えたボトル３０に巻いた場合でも結露等の水分をポリエステル部２４を通して柱状体保温装置１０の吸水性シート１２ａ〜１２ｈが吸水してボトル３０やボトル保温装置２０の内面が結露で濡れることがない。そのため、高級レストランでワインを供するときに、水が滴り落ちたりすることがなく高級感を損なうことがない。
【００３７】
吸水性シート１２ａ〜１２ｈは、吸水した水分を離さないため、ボトル保温装置２０の内部が濡れることもない。もし仮に、吸水性シート１２ａ〜１２ｈから水分が漏れたとしても、収納された柱状体保温装置１０の外側にアルミ蒸着膜２５が全面に設けられているため、ボトル保温装置２０の外側に水が溢れることがなく、安心してワイン等を供することができる。
【００３８】
さらに、ボトル保温装置２０の最も外側が織物からなる外装材２６で全面が覆われているため、高級感を演出することができる。図３（ｂ）、（ｃ）に示すように、ボトル保温装置２０の底面にボトル落下防止装置２７が設けられている（図２ではボトル落下防止装置２７の記載を省略している。）。実施例２におけるボトル落下防止装置２７は布片で構成され、ボトル保温装置２０を巻いた状態で底面を交差するようにボトル保温装置２０に縫い付けられている。
【００３９】
なお、実施例２においては、布片からなるボトル落下防止装置２７がボトル保温装置２０を巻いた状態で底面を交差するようにボトル保温装置２０に縫い付けられている構成としたが、必ずしもこれに限定されず適宜変更が可能である。例えば、布片からなるボトル落下防止装置２７をボタン等でボトル保温装置２０に固定してもよい。また、ボトル保温装置２０の底面全体を布からなるボトル落下防止装置２７で覆ってもよい。また、ボトル落下防止装置２７を布以外の材質で構成してもよい。
【００４０】
また、実施例２においては、アルミ蒸着膜２５の外側を外装材２６で覆われた構成としたが、必ずしもこれに限定されず適宜変更が可能である。例えば、アルミ蒸着膜２５と外装材２６との間に、シート状の湾曲したペットを挿入してもよい。これにより、ボトル保温装置２０に張りを持たせることができる。
【００４１】
（ボトル保温装置の使用方法）
ボトル保温装置２０でボトル３０を常温に対して低温で保温する場合、柱状体保温装置１０を水に浸して水分を吸水性シート１２ａ〜１２ｈに吸水させる。次に、柱状体保温装置１０を冷蔵庫や冷凍庫に入れて冷やす。そして、冷えた柱状体保温装置１０を柱状体保温装置挿入口２１からボトル保温装置２０に挿入し、柱状体保温装置１０が挿入されたボトル保温装置２０をワイン等のボトル３０に巻いて面ファスナー２２、２３で固定すればよい。さらに、図示しないバンドや紐等でボトル保温装置２０を巻いてもよい。
【００４２】
ワイン等を供する場合は、ボトル保温装置２０を巻いたワインのボトル３０を持ち上げてグラスに注げばよい。この際、柱状体保温装置１０内にシート状の薄い吸水性シート１２ａ〜１２ｈで冷やして保温するので、ボトル保温装置２０をボトル３０に巻いても太くならず、ボトルでワインを供するときと同じ感覚でボトル保温装置２０を持ってワインを供することができる。また、ボトル保温装置２０の底面にボトル落下防止装置２７を備えているため、ボトル３０が落下することがない。
【００４３】
ボトル保温装置２０でボトル３０を常温に対して高温で保温する場合、柱状体保温装置１０を水に浸して水分を吸水性シート１２ａ〜１２ｈに吸水させる。次に、柱状体保温装置１０を湯に浸して暖める。又は、柱状体保温装置１０を湯に浸して暖かい湯を吸水させる。そして、暖めた柱状体保温装置１０を柱状体保温装置挿入口２１からボトル保温装置２０に挿入し、柱状体保温装置１０が挿入されたボトル保温装置２０を日本酒等のボトル３０に巻いて面ファスナー２２、２３で固定すればよい。
【００４４】
このように、実施例２においては、柱状体保温装置を内部に収納してボトルに巻き付けることで前記ボトルを保温可能としたことを特徴とするボトル保温装置により、ボトル表面が水で濡れることなく、また、片手で持ちやすいコンパクトなボトル保温装置を実現することができる。
【００４５】
また、ボトル保温装置であって、前記柱状体保温装置を収納したときに、内側がポリエステル、外側がアルミ蒸着膜を介して外装材で覆われたことで、水滴がボトルに付着することなく、高級感を演出することができる。
【産業上の利用可能性】
【００４６】
本発明により、柱状体やボトルの表面が水で濡れることなく、また、片手で持ちやすいコンパクトな柱状体保温装置、及びボトル保温装置を実現することができる。
【符号の説明】
【００４７】
１０：柱状体保温装置    １１（１１ａ、１１ｂ）：不織布    
１２（１２ａ〜１２ｈ）：吸水性シート    
１３（１３ａ〜１３ｈ）：シール部    
２０：ボトル保温装置    ２１：柱状体保温装置挿入口    
２２：面ファスナー    ２３：面ファスナー    
２４：ポリエステル部    ２５：アルミ蒸着膜    ２６：外装材    
２７：ボトル落下防止装置    
３０：ボトル    
【要約】
【課題】ボトル表面が水で濡れることなく、また、片手で持ちやすいコンパクトな柱状体保温装置、及びボトル保温装置を実現することを課題とする。
【解決手段】柱状体に巻いて、常温に対して低温又は高温に保温する柱状体保温装置１０であって、２枚の不織布１１ａ、１１ｂと、シート状からなる複数の吸水性シート１２ａ〜１２ｈと、を備え、複数の前記吸水性シートは、前記２枚の不織布１１ａ、１１ｂの間にそれぞれ間隔を開けて配置され、前記２枚の不織布における該間隔部分同士、及び前記２枚の不織布における端部同士が熱圧着されたシール部１３ａ〜１３ｈを有したことを特徴とする柱状体保温装置１０とした。
【選択図】  図１【図１】
0006909473.tif 000002
【図２】
0006909473.tif 000003
【図３】
0006909473.tif 000004
【図４】
0006909473.tif 000005